(57)【要約】      （修正有）【課題】携帯し、どこでも洗髪作業を行うことができる携帯式洗髪器具を提供する。【解決手段】水盛容器座体１０は、水盛容器本体１１を有し、該水盛容器本体に水盛空間１１１と、該水盛空間と連通しない貯水室が設けられ、該水盛空間の底部に貯水排水孔１１４があり、貯水排水蓋１３は、貯水排水孔１１４を開閉する。該貯水室の底部に貯水出口が設置され、該水盛容器本体の頂面部に貯水室と連通される給水口１１７が設けられ、給水蓋１２は、給水口１１７を開閉する。汚水容器２０は該水盛容器本体と結合され、その頂上部に汚水空間２１が設けられ、該汚水空間は貯水排水孔と連通され、その壁面に汚水排水孔２２が設けられ、汚水排水蓋２５は汚水排水孔を開閉する。水ポンプ３０は貯水出口と連通され、貯水室の水を排出する。シャワーヘッドユニット４０は水ポンプ３０と連通される。【選択図】図２
0003150577.tif 000002
【実用新案登録請求の範囲】
【請求項１】
水盛容器座体と、汚水容器と、水ポンプと、シャワーヘッドユニットと、を含む携帯式洗髪器具であって、
該水盛容器座体は、水盛容器本体と、貯水排水蓋と、給水蓋とから構成され、
該水盛容器本体の頂上部には、くぼみのある水盛空間が設けられ、該くぼみの底面に貯水排水孔があり、また、該水盛容器本体内部に貯水室が設けられ、しかも、該貯水室と該水盛空間は連通しない構造になっており、該貯水室の底部に貯水出口が設置され、さらに該水盛容器本体の頂面部に該貯水室と連通される給水口が設けられ、
該貯水排水蓋は分離できる方式で前記貯水排水孔を開閉するものであり、
該給水蓋は分離できる方式で前記給水口を開閉するものであり、
該汚水容器の上周縁は該水盛容器本体の底部と結合され、該汚水容器の頂上部にくぼみのある汚水空間が設けられ、該汚水空間は前記貯水排水孔と連通され、該汚水空間の側壁面に汚水排水孔が設けられ、汚水排水蓋を備え、該汚水排水蓋は分離できる方式で前記汚水排水孔を開閉するものであり、
該水ポンプは前記貯水出口と連通されるとともに、貯水室の水を引き込みかつ圧力をかけて、排出し、
該シャワーヘッドユニットは前記水ポンプと連通されるとともに、この水ポンプの圧力により、水を排出することを特徴とする、携帯式洗髪器具。
【請求項２】
該水盛容器本体と該汚水容器は、一体成型により構成されることを特徴とする、請求項１に記載の携帯式洗髪器具。
【請求項３】
該水盛空間の側壁面には、利用者の頸部を支える凹陥部が設けられ、該水盛空間の底壁面には、利用者の頭部を支える突起した支え部が設けられることを特徴とする、請求項１に記載の携帯式洗髪器具。
【請求項４】
該水盛容器本体の頂面部には、シャワーヘッド固定具が配設され、これにより、シャワーヘッドユニットを固定することができることを特徴とする、請求項１に記載の携帯式洗髪器具。
【請求項５】
該水盛容器本体の底部周縁には、複数の凹溝が設けられ、該汚水容器の頂部周縁には、前記凹溝と対応する複数の凸塊が設けられ、該凸塊と該凹溝の結合によって、固定を行うことを特徴とする、請求項１に記載の携帯式洗髪器具。
【請求項６】
該水盛容器本体の底部周縁には、複数の凸塊が設けられ、該汚水容器の頂部周縁には、前記凸塊と対応する複数の凹溝が設けられ、該凸塊と該凹溝の結合によって、固定を行うことを特徴とする、請求項１に記載の携帯式洗髪器具。
【請求項７】
該汚水容器の両側には、取手がそれぞれ設けられ、これにより、携帯又は移動に供することを特徴とする、請求項１に記載の携帯式洗髪器具。
【請求項８】
該水ポンプは、ポンプ主体と、固定座体と、連結管とから構成され、該ポンプ主体は、外部の水を吸入口から吸い込み、圧力をかけてから、排出口から排出し、該固定座体は該汚水容器の上に固定されると共に、ポンプ主体の取り付けと位置決めに供し、該連結管は、該水盛容器座体の貯水出口とポンプ主体の吸入口と連結し、これにより、前記貯水出口と前記吸入口は連通することを特徴とする、請求項１に記載の携帯式洗髪器具。
【請求項９】
該シャワーヘッドユニットは、シャワーヘッドと、パイプとから構成され、該パイプは中空のフレキシブル耐熱パイプであり、一端が前記水ポンプの排出口と連結し、他端が前記シャワーヘッドと連結することを特徴とする、請求項１に記載の携帯式洗髪器具。
【請求項１０】
背部支え具をさらに含み、該背部支え具は、所定の高さ、傾斜角度を具備する支えプレートにより構成され、これにより、利用者の背部を支えることを特徴とする、請求項１に記載の携帯式洗髪器具。
【考案の詳細な説明】
【技術分野】
【０００１】
本考案は洗髪器具に係り、具体的には、携帯式洗髪器具に関するものである。
【背景技術】
【０００２】
介護を要する体の不自由な老人、病人または怪我をして、自由に動けない人たちは、通常はベッドの上に寝ている状態である。このような人たちに洗髪作業を行う場合、一般的に家族か介護ヘルパーの手伝いで行う。
【０００３】
ところで、老人に手を貸して、あるいは患者または負傷者を浴室に搬送することは、大変困難なことであるため、普通は浴室に行かず、洗面器あるいは他の水容器に直接水を入れ、洗髪を行う。しかし、洗面器を使うのは以下のように欠点が存在する。
【０００４】
＜イ＞洗面器は単一容器の水盛りにすぎないので、洗髪作業を行うと同時に、水は汚れることになる。よって、洗髪の清潔さは落ちる。
＜ロ＞上記＜イ＞を補うために、洗髪作業を行うと同時に、汚れた水を捨て、新しい水を入れ替えなければならないので、洗髪する老人、患者または負傷者だけではなくて、洗髪を手伝う家族や介護ヘルパーに対しても、重い負担になる。しかも、洗髪する時間も長くなる。
＜ハ＞洗面器または他の水盛容器は、洗髪する専用器具ではないので、その構造上は、洗髪する人を支える設計がないため、洗髪する人に苦労をかけるだけではなく、洗髪する人が頸部に怪我をするケースも発生する。
【０００５】
そして、介護を要する体の不自由な老人、病人または怪我をして、自由に動けなく、ベッドの上に寝ている状態である人たちに、場所を移動することなく、心地よく頭部を清潔する（洗髪）作業を行えることは、早急に解決すべき重要なる課題である。
【考案の概要】
【考案が解決しようとする課題】
【０００６】
そこで、本考案の主な目的は、便利に携帯し、どこでも洗髪作業を行うことができる携帯式洗髪器具を提供することにある。また、本考案のもう一つの目的は、心地よく洗髪することができる携帯式洗髪器具を提供することにある。
【課題を解決するための手段】
【０００７】
上記課題を解決するために、本考案は、水盛容器座体と、汚水容器と、水ポンプと、シャワーヘッドユニットと、を含む携帯式洗髪器具であって、該水盛容器座体は、水盛容器本体と、貯水排水蓋と、給水蓋とから構成され、該水盛容器本体の頂上部には、くぼみのある水盛空間が設けられ、該くぼみの底面に貯水排水孔があり、また、該水盛容器本体内部に貯水室が設けられ、しかも、該貯水室と該水盛空間は連通しない構造になっており、該貯水室の底部に貯水出口が設置され、さらに該水盛容器本体の頂面部に該貯水室と連通される給水口が設けられ、該貯水排水蓋は分離できる方式で前記貯水排水孔を開閉するものであり、該給水蓋は分離できる方式で前記給水口を開閉するものであり、該汚水容器の上周縁は該水盛容器本体の底部と結合され、該汚水容器の頂上部にくぼみのある汚水空間が設けられ、該汚水空間は前記貯水排水孔と連通され、該汚水空間の側壁面に汚水排水孔が設けられ、汚水排水蓋を備え、該汚水排水蓋は分離できる方式で前記汚水排水孔を開閉するものであり、該水ポンプは前記貯水出口と連通されるとともに、貯水室の水を引き込みかつ圧力をかけて、排出し、該シャワーヘッドユニットは前記水ポンプと連通されるとともに、この水ポンプの圧力により、水を排出することを特徴とするものである。
【考案の効果】
【０００８】
本考案の携帯式洗髪器具は、簡単に携帯、移動ができ、ベッドの上あるいは他の特定空間に使用することができ、病患者、負傷者、老人等ベッドの上に寝ている方の洗髪に便利に利用できる。しかも、本考案の背部支え具、凹陥部、頭部支え部の設計は、さらに心地よく洗髪することができる。
【図面の簡単な説明】
【０００９】
【図１】本考案の好適な実施例の斜視図である。
【図２】図１における好適な実施例の立体分解図である。
【図３】図１における好適な実施例の利用プロセスの説明図である。
【図４】図１における好適な実施例の利用プロセスの説明図である。
【図５】図１における好適な実施例の利用プロセスの説明図である。
【図６】図１における好適な実施例の利用プロセスの説明図である。
【図７】図１におおける好適な実施例の使用状態の説明図である。
【図８】図１におおける好適な実施例の別の使用状態の説明図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図８を参照されたい。本考案の好適な実施例とする携帯式洗髪器具１００は、水盛容器座体１０と、汚水容器２０と、水ポンプ３０と、シャワーヘッドユニット４０と、背部支え具５０とから構成される。
【００１２】
そのうち、図１乃至図３に示すように、該水盛容器座体１０は、水盛容器本体１１と給水蓋１２と貯水排水蓋１３から構成される。該水盛容器本体１１は一体化された形で作成され、該水盛容器本体１１の頂上部に内部へ凹んだ所定形状と容積の水盛空間１１１が設けられ、しかも、該水盛空間１１１の側壁面にやや凹んで、利用者の頸部を支える凹陥部１１２が設けられ、かつ、該水盛空間１１１の底壁面に凹陥部１１２と隣接する処に突起した支え部１１３を設け、利用者の頭部を支えることになる。
【００１３】
該水盛容器本体１１の水盛空間１１１の底壁面のやや中央に位置する処に、水盛容器本体１１の底面まで貫通する貯水排水孔１１４が設けられ、該水盛容器本体１１の内部に中空の貯水室１１５が形成され、該貯水室１１５と水盛空間１１１が連通しない構造になっており、該貯水室１１５の底部に貯水出口１１６が設置され、該水盛容器本体１１の頂面部に給水口１１７及びシャワーヘッド固定具１１８を設けて、しかも、該給水口１１７と該貯水室１１５が連通され、該水盛容器本体１１の底部周縁に複数の第一結合部１１９が設けられ、該第一結合部１１９は凹溝形状である。該給水蓋１２は、給水口１１７に挿入すれば、該給水口１１７が閉合され、該給水蓋１２を給水孔１１７から取り出せば、該給水口１１７が開放される。該貯水排水蓋１３は、貯水排水孔１１４に挿入すれば、該貯水排水孔１１４が閉合され、該貯水排水蓋１３を貯水排水孔１１４から取り出せば、該貯水排水孔１１４が開放される。
【００１４】
該汚水容器２０は、一体成型により製造され、該汚水容器２０の頂上部に所定形状と容積の汚水空間２１を設け、かつ、該汚水容器２０の外側に汚水空間２１と連通される汚水排水孔２２を設け、該汚水排水孔２２は汚水排水蓋２５により、閉合または開放をする。該汚水容器２０の両サイドに取手２３を設け、携帯あるいは移動する時に利用できる。該汚水容器２０頂部周縁に複数の第二結合部２４が設けられ、該第二結合部２４は凸塊形状である。それで、該汚水容器２０の第二結合部２４を該水盛容器座体１０の第一結合部１１９に設置すれば、該汚水容器２０と該水盛容器座体１０が緊密結合状態になる。
【００１５】
該水ポンプ３０は、ポンプ主体３１と固定座体３２と連結管３３から構成され、該ポンプ主体３１は、外部の水を吸入口３１１から吸い込み、圧力をかけてから、排出口３１２から排出する。該固定座体３２は該汚水容器２０の上に固定されると共に、ポンプ主体３１の取り付けと位置決めになる。該連結管３３は、該水盛容器座体１０の貯水出口１１６とポンプ主体３１の吸入口３１１と連結し、該貯水出口１１６と吸入口３１１を連通するようにする。
【００１６】
該シャワーヘッドユニット４０は、シャワーヘッド４１及びパイプ４２から構成され、該パイプ４２は中空のフレキシブル耐熱パイプであり、片方は水ポンプ３０の排出口３１２と連結し、片方はシャワーヘッド４１と連結する。該背部支え具５０は、所定高さと傾斜角度の支えプレート５１をもち、利用者の背部を支えることになる。
【００１７】
以上、本考案の好適な実施例として、主な構成要件と組み立て方式を述べた。続いて使用方式と特徴を以下に述べる。
本考案の携帯式洗髪器具１００は、一般家庭の洗髪用具として利用できる（図７を参照）一方、病患者、負傷者、老人等がベッドの上で利用することができる（図８を参照）。利用者は、該背部支え具５０の支えプレート５１により、背部を支えることになる（図７を参照）。利用者の頸部を該水盛容器座体１０の凹陥部１１２に置くと共に、支え部１１３は利用者の頭部を支えることになる（図８を参照）。
【００１８】
本考案の携帯式洗髪器具１００を利用したいとき、最初に給水蓋１２を該給水口１１７から取り出し、それから、新しい水（水温は利用者の好みで調整）を給水口１１７から該貯水室１１５の中に注入する（図３）。続いて、該ポンプ主体３１を作動させ、該貯水室１１５の中にある水に、圧力をかけた後、パイプ４２の中に入れ、それから、シャワーヘッド４１から排出して（図４）、利用者の髪の毛を洗うことができる。
【００１９】
一方、利用された汚水を該水盛空間１１１の中に貯める（図５）。利用した後または水盛空間１１１の中の汚水がある程度に達したときに、該貯水排水蓋１３を貯水排水孔１１４から取り出し、汚水を該貯水排水孔１１４から底部にある汚水空間２１に流し込み、収集する（図６）。最後に、該汚水排水蓋２５を汚水排水孔２２から取り出し、該汚水空間２１の中にある汚水を排出することができる。
【００２０】
上記の実施例の中では、該第一結合部は凹溝形状であり、第二結合部は凸塊形状である。それに反対して、該第一結合部を凸塊形状にし、第二結合部を凹溝形状にすることもできる。あるいは、第一、第二結合部を他の結合形式にしても、同様の目的を達成できる。
【符号の説明】
【００２１】
１００      携帯式洗髪器具
１０        水盛容器座体
１１        水盛容器本体
１１１      水盛空間
１１２      凹陥部
１１３      支え部
１１４      貯水排水孔
１１５      貯水室
１１６      貯水出口
１１７      給水口
１１８      シャワーヘッド固定具
１１９      第一結合部
１２        給水蓋
１３        貯水排水蓋
２０        汚水容器
２１        汚水空間
２２        汚水排水孔
２３        取手
２４        第二結合部
２５        汚水排水蓋
３０        水ポンプ
３１        ポンプ主体
３１１      吸入口
３１２      排出口
３２        固定座体
３３        連結管
４０        シャワーヘッドユニット
４１        シャワーヘッド
４２        パイプ
５０        背部支え具
５１        支えプレート
【図１】
0003150577.tif 000003
【図２】
0003150577.tif 000004
【図３】
0003150577.tif 000005
【図４】
0003150577.tif 000006
【図５】
0003150577.tif 000007
【図６】
0003150577.tif 000008
【図７】
0003150577.tif 000009
【図８】
0003150577.tif 000010